(57)【要約】【課題】中空壁の壁裏に補強材などを設置せずとも、中空壁にそのまま手摺りを後付け施工できる後付け手摺りの取付構造を提供する。【解決手段】垂直板状の基部５とこの基部５から前方に突出した突出部６とで成る複数のブラケット１を所定間隔に並べて配置し、各ブラケット１の突出部６の先端で握り棒２を支持して手摺りを構成し、この手摺りのブラケット１の基部５を中空壁に固定させることで行う後付け手摺りの取付構造である。ブラケット１の基部５を握り棒２の長手方向に長い矩形板状に形成する。基部５の板面における長辺の外縁近傍に複数の取付孔７を並べて穿設する。上記取付孔７に適宜、中空壁の壁裏にある柱１１や胴縁に打入する柱打入用取付具や、壁を表裏から挟持する中空壁用取付具を挿通してブラケット１を中空壁に固定した。【選択図】　　　　図１
2004003207.tif 000002
【特許請求の範囲】
【請求項１】
垂直板状の基部とこの基部から前方に突出した突出部とで成る複数のブラケットを所定間隔に並べて配置し、各ブラケットの突出部の先端で握り棒を支持して手摺りを構成し、この手摺りのブラケットの基部を中空壁に固定させることで行う後付け手摺りの取付構造において、ブラケットの基部を握り棒の長手方向に長い矩形板状に形成し、この基部の板面における長辺の外縁近傍に複数の取付孔を並べて穿設し、上記取付孔に適宜、中空壁の壁裏にある柱や胴縁に打入する柱打入用取付具や、壁を表裏から挟持する中空壁用取付具を挿通してブラケットを中空壁に固定したことを特徴とする後付け手摺りの取付構造。
【請求項２】
ブラケットの基部表面に被着して柱打入用取付具や中空壁用取付具を覆い隠すブラケットカバーを設け、このブラケットカバーを正面視略コ字状に形成して前面及び側面に開口せる開口部を形成し、ブラケットの基部の略中央部位から前方に突設した突出部をこの開口部内に導入するようにブラケットカバーをブラケットの基部表面に平行にスライドさせて着脱自在に装着したことを特徴とする請求項１に記載の後付け手摺りの取付構造。
【請求項３】
ブラケットの突出部の先端にリング部を形成し、このリング部に握り棒を挿通し、リング部の内周面と握り棒の外周面との間に木ネジなどの先端程尖るように形成された固定具を楔状に打入し、この固着具にてリング部の内周面に握り棒を圧接させて握り棒をブラケットに固定したことを特徴とする請求項１に記載の後付け手摺りの取付構造。
【発明の詳細な説明】
【０００１】
【発明の属する技術分野】
本発明は、中空壁に後付け施工する後付け手摺りの取付構造に関する発明である。
【０００２】
【従来の技術】
従来から、手摺りは、図８に示すように、直板状の基部５とこの基部５から前方に突出した突出部６とで成る複数のブラケット１を所定間隔に並べて配置し、各ブラケット１の突出部６の先端で握り棒２を支持することで構成されており、このような手摺りを中空壁に後付け施工するにあたっては、ブラケット１を壁裏にある柱１１や胴縁に固定するのが通常である。つまり、石膏ボード等で形成される中空壁は脆いものであり、このような中空壁にブラケット１を固定して手摺りを後付け施工しても、手摺りにかかった体重などの荷重を中空壁だけでは支えられないのであって、すなわち手摺りに必要な取付強度が得られないからである。
【０００３】
しかし、柱１１や胴縁は中空壁の壁裏に所定間隔を隔てて設けられるものであるから、手摺りを中空壁に取付る際にいつもブラケット１の裏側に都合よく柱１１や胴縁が位置しているものでもない。このようにブラケット１の裏側に柱１１や胴縁が位置していないときには、たとえば図８に示すように、柱１１や胴縁に固定させた補強材２０を壁面４の裏面に設置し、この補強材２０にブラケット１を固定して手摺りの取付施工が為されるものであった。しかし、この施工では、一旦壁材を取外して施工を行わねばならず、施工作業が煩雑であると共に施工コストもかかるといった問題を有するものであった。
【０００４】
【発明が解決しようとする課題】
本発明は上記の点に鑑みてなされたものであり、中空壁の壁裏に補強材などを設置せずとも、中空壁にそのまま手摺りを後付け施工できる後付け手摺りの取付構造を提供することを課題とするものである。
【０００５】
【課題を解決するための手段】
上記課題を解決するために本発明に係る後付け手摺りの取付構造は、垂直板状の基部５とこの基部５から前方に突出した突出部６とで成る複数のブラケット１を所定間隔に並べて配置し、各ブラケット１の突出部６の先端で握り棒２を支持して手摺りを構成し、この手摺りのブラケット１の基部５を中空壁に固定させることで行う後付け手摺りの取付構造において、ブラケット１の基部５を握り棒２の長手方向に長い矩形板状に形成し、この基部５の板面における長辺の外縁近傍に複数の取付孔７を並べて穿設し、上記取付孔７に適宜、中空壁の壁裏にある柱１１や胴縁に打入する柱打入用取付具１２や、壁を表裏から挟持する中空壁用取付具１３を挿通し、ブラケット１を中空壁に固定したことを特徴とする。これによると、中空壁に固定するブラケット１の基部５を握り棒２の長手方向に長い矩形板状に形成し、この基部５の板面における長辺の外縁近傍に複数の取付孔７を並べて穿設したので、この複数の取付孔７のいずれかは中空壁の壁裏にある柱１１や胴縁の前方位置に位置させることができ、この柱１１や胴縁の前方位置に位置された取付孔７に柱打入用取付具１２を挿通してブラケット１の基部５を柱１１や胴縁に固定することで、壁裏に補強材２０などを設置せずとも、必要な取付強度を備えて手摺りを中空壁に取付けすることができるのである。
【０００６】
また、ブラケット１の基部５表面に被着して柱打入用取付具１２や中空壁用取付具１３を覆い隠すブラケットカバー３を設け、このブラケットカバー３を正面視略コ字状に形成して前面及び側面に開口せる開口部１４を形成し、ブラケット１の基部５の略中央部位から前方に突設した突出部６をこの開口部１４内に導入するようにブラケットカバー３をブラケット１の基部５表面に平行にスライドさせて着脱自在に装着したことも好ましい。これによると、ブラケットカバー３のブラケット１の基部５表面への着脱は、ブラケットカバー３の開口部１４の開口幅を広げ、ブラケット１の突出部６をこの開口部１４内に導入させたり、開口部１４内から導出させたりするように、ブラケット１の基部５表面に対して平行にスライドさせることで行われる。このブラケットカバー３の開口部１４の開口幅を広げる方向は、ブラケットカバー３をブラケット１の基部５表面にスライドさせる方向と略直交する方向、つまり壁面４と平行な方向である。しかして、一旦ブラケット１の基部５表面に被着したブラケットカバー３を取り外すときに、ブラケットカバー３の開口部１４の開口幅を押し広げるように、ブラケットカバー３の開口部１４の縁とブラケット１との間にドライバーなどの工具１９を差し入れた場合にも、力を入れる向きは壁面４と平行な方向にすることができることから、勢い余ってこの工具１９で壁面４を引っ掻いて傷つけてしまう恐れを無くすることができるのである。
【０００７】
また、ブラケット１の突出部６の先端にリング部９を形成し、このリング部９に握り棒２を挿通し、リング部９の内周面と握り棒２の外周面との間に木ネジなどの先端程尖るように形成された固定具１０を楔状に打入し、この固着具にてリング部９の内周面に握り棒２を圧接させて握り棒２をブラケット１に固定したことも好ましい。これによると、一旦握り棒２とブラケット１とを固定させた後に握り棒２とブラケット１との固定が緩んでしまった場合には、固定具１０をそのまま増し締めすればよく、容易に握り棒２とブラケット１との再固定を行うことができるものである。
【０００８】
【発明の実施の形態】
以下、本発明を添付図面に示す実施形態に基づいて説明する。
【０００９】
図１乃至図７に本発明の実施の形態の例を示す。手摺りは、壁面４に直線状に並べて突設させた複数のブラケット１に握り棒２を支持させて構成されるものであるが、この手摺りは、近年の介護意識の高まりから、建物の階段や廊下、浴室、便所などの壁面４に後付け施工されることが多くなってきており、本発明は、従来後付け施工の行い難かった中空壁の壁面４にも、容易に後付け施工できるようにした後付け手摺りの取付構造である。以下、詳述する。
【００１０】
手摺りを構成せるブラケット１は、図３に示すように、裏面を壁面４に沿わせて壁面４に取り付けされる基部５と、この基部５から前方に突設され握り棒２を支持する突出部６とで構成されている。基部５は短辺と長辺とを有する矩形板状に形成されたものであり、この基部５の板面における長辺の外縁近傍には複数の取付孔７が並べて穿設され、また、この基部５の板面における略中央部分からは突出部６が前方に向けて突設されている。ここで、取付孔７は基部５の表裏に貫通した孔であり、本例では各長辺に沿って所定の間隔を隔てて３つずつ、計６つの取付孔７が穿設されている。詳述すると、この取付孔７は、基部５の長手方向の中央部位及び両端近傍部位における、基部５の幅方向の両端部位にそれぞれ位置して設けられている。また、突出部６は略正方形断面を有した矩形函状のものであり、その突出先端には握り棒２を挿通させる握り棒挿通孔８を形成するべくリング部９が一体に形成されている。この握り棒挿通孔８は基部５の長手方向に突出部６を貫通するように形成されている。つまり、この握り棒挿通孔８に挿通した握り棒２は、その長さ方向が基部５の長手方向に一致した位置関係を有するのである。すなわち、矩形板状の基部５と握り棒２とは、基部５の長手方向と握り棒２の長手方向とが一致する位置関係を有しているのである。なお、図１や図２に示すように、握り棒２の長手方向の端部を支持するブラケット１の場合には、握り棒挿通孔８は有底孔状に形成され、握り棒挿通孔８に挿入した握り棒２の長手方向の端部をリング部９で覆うようにされる。
【００１１】
なお、ブラケット１と握り棒２との固定は、図４に示すように、先端程尖るように形成された固定具１０をブラケット１のリング部９の内周面と握り棒２の外周面との間に楔状に打入し、リング部９の内周面に握り棒２を圧接させることで行わせている。本例では、上記固定具１０を木ネジで構成させている。このようにブラケット１と握り棒２との固定構造を形成させているので、一旦握り棒２とブラケット１とを固定させた後に握り棒２とブラケット１との固定が緩んでしまった場合に、固定具１０をそのまま増し締めすれば、容易に握り棒２とブラケット１との再固定を行うことができるようになっているのである。
【００１２】
上述したように手摺りはそのブラケット１を壁面４に固定させることで後付け施工が為されるのであるが、本例の手摺りは従来後付け施工の行い難かった中空壁の壁面４にも容易に後付け施工を行えるようにしたものである。つまり、手摺りを必要な取付強度を備えて中空壁の壁面４に固定するには、ブラケット１を中空壁の壁裏にある柱１１や胴縁（図示せず）に固定する必要があるが、本例のブラケット１の基部５は上述したように握り棒２の長手方向に長い矩形板状に形成されていて、この基部５に設けた取付孔７がこの基部５の板面における長辺に沿って複数個穿設されていることから、図１及び図２に示すように、この複数の取付孔７のいずれかを中空壁の壁裏にある柱１１や胴縁の前方位置に位置させることが可能となり、この柱１１や胴縁の前方位置に位置された取付孔７に柱打入用取付具１２を挿通して柱１１や胴縁に打入させ、ブラケット１の柱１１や胴縁への固定が為されるようになっているのである（図４）。
【００１３】
元来石膏ボードなどから成る中空壁は、それ自身では脆くて耐荷重性に劣るといった理由で、手摺りやこの手摺りにかかる荷重を支える構造材には成り得ないものである。従来では、この中空壁自体にブラケット１を取り付けざるを得なく、壁裏への補強材２０などの設置を必要とするケースがしばしば生じるものであったが、本例では、上述したようにブラケット１を柱１１や胴縁に固定させ易くなっていることで、壁裏への補強材２０などの設置を必要とするケースを低減させることができ、つまりこの壁裏への補強材２０などの設置にかかる煩雑な施工作業を省くことができることから、中空壁への手摺りの後付け施工の容易化が図られているのである。
【００１４】
なお、本例では、柱１１や胴縁の前方に位置した取付孔７には、釘や木ネジなどで構成される柱打入用取付具１２が挿通されて、上述したようにブラケット１を柱１１や胴縁に固定させているのであるが（図４）、柱１１や胴縁の前方に位置しない取付孔７には、壁を表裏から挟持する中空壁用取付具１３を挿通し、ブラケット１を中空壁自身にも固定させている（図５及び図６）。このように、手摺りを柱１１や胴縁のみならず中空壁にも補助的に支持させることで、手摺りの取付強度の向上が図られているのである。
【００１５】
また、本例のブラケット１は、図３に示すように、その基部５表面にブラケットカバー３を被着して柱打入用取付具１２や中空壁用取付具１３を覆い隠し、手摺りの外観を高めるようにされている。このブラケットカバー３は、前面及び側面に開口せる開口部１４を形成させるように正面視略コ字状に形成されたものである。そして、このブラケットカバー３をブラケット１の基部５表面に被着するには、ブラケットカバー３の開口部１４の開口幅を押し広げ、ブラケット１の突出部６をブラケットカバー３の側面から開口部１４内に導入させるようにブラケットカバー３をブラケット１の基部５表面に対して平行にスライドさせ（矢印Ａ）、押し広げたブラケットカバー３の開口部１４を元に戻し、ブラケット１の基部５に設けた係合凹所１５に、ブラケットカバー３に設けた係合突起１６を係合させることで行われる。なお、ブラケットカバー３をブラケット１の基部５表面に被着した状態で、ブラケットカバー３の開口部１４内に位置した突出部６以外のブラケット１の部位、つまり突出部６における開口部１４に最後に導入される側に隣接するブラケット１の基部５表面の部位には、ブラケットカバー３の開口部１４を塞いでブラケットカバー３の表面と連続し、手擦りの外観を良好にさせる盛上り部１７が形成されている。本例では、ブラケットカバー３はブラケット１の基部５の長手方向にスライドさせて取り付けられ、また、係合凹所１５はブラケット１の基部５の長辺における外縁部分に複数個並設されており、係合突起１６はブラケットカバー３の係合凹所１５に対する部位に複数個設けられている。
【００１６】
上述したようにブラケット１の基部５表面へのブラケットカバー３の被着は係合突起１６の係合凹所１５への係合により行われるのであり、一旦ブラケット１の基部５表面に被着したブラケットカバー３も係合突起１６と係合凹所１５との係合状態を解くことで取外しができるようになっている。そして、この係合突起１６と係合凹所１５との係合を外すには、ブラケットカバー３の開口部１４の開口幅を押し広げることで行われるようになっている。一旦ブラケット１の基部５表面に被着したブラケットカバー３の開口部１４の開口幅を押し広げる作業は、図７に示すように、ブラケットカバー３の開口部１４の内縁部分とブラケット１の基部５の盛上り部１７の外縁部分との隙間１８にドライバーなどの工具１９を差し入れ、ブラケットカバー３の開口部１４の開口幅を広げる向き（矢印Ｂ）に力をかけるようにして行われる。
【００１７】
ここで、このブラケットカバー３の開口部１４の開口幅を押し広げる方向（矢印Ｂ）は、ブラケットカバー３の開口部１４の内縁部分とブラケット１の基部５の盛上り部１７の外縁部分との隙間１８の延びる方向と略直交する方向である。つまりブラケットカバー３をブラケット１の基部５表面にスライドさせる方向（矢印Ａ）と略直交する方向であり、すなわち壁面４と平行な方向になっている。したがって、ブラケットカバー３の開口部１４の開口幅を押し広げようと力をかけたときに、勢い余ってこの工具１９がブラケットカバー３の開口部１４の縁から外れてしまっても、勢いよくブラケットカバー３の開口部１４の縁から飛び出た工具１９が壁面４を引っ掻いてしまう恐れを無くしており、たとえば柱打入用取付具１２や中空壁用取付具１３が緩んだりして再び打入し直す場合など、ブラケットカバー３を付け直すことが生じた場合にも、壁面４に傷を付けるといった不具合を生じさせない工夫が為されているのである。
【００１８】
【発明の効果】
上記のように本発明の請求項１記載の発明にあっては、垂直板状の基部とこの基部から前方に突出した突出部とで成る複数のブラケットを所定間隔に並べて配置し、各ブラケットの突出部の先端で握り棒を支持して手摺りを構成し、この手摺りのブラケットの基部を中空壁に固定させることで行う後付け手摺りの取付構造において、ブラケットの基部を握り棒の長手方向に長い矩形板状に形成し、この基部の板面における長辺の外縁近傍に複数の取付孔を並べて穿設し、上記取付孔に適宜、中空壁の壁裏にある柱や胴縁に打入する柱打入用取付具や、壁を表裏から挟持する中空壁用取付具を挿通してブラケットを中空壁に固定したので、複数の取付孔のいずれかは中空壁の壁裏にある柱や胴縁の前方位置に位置させることができ、この柱や胴縁の前方位置に位置した取付孔に柱打入用取付具を挿通して柱や胴縁に打入し、ブラケットの基部を柱や胴縁に固定することで、壁裏に補強材などを設置せずとも必要な取付強度を備えて手摺りを中空壁に取付けすることができるのである。加えて、柱や胴縁の前方位置に位置しない取付孔には中空壁用取付具を挿通して中空壁に打入し、ブラケットの基部を中空壁にも補助的に固定させているので、取付強度を高めて手摺りを中空壁に設置させることが図られているのである。
【００１９】
請求項２記載の発明にあっては、請求項１の効果に加えて、ブラケットの基部表面に被着して柱打入用取付具や中空壁用取付具を覆い隠すブラケットカバーを設け、このブラケットカバーを正面視略コ字状に形成して前面及び側面に開口せる開口部を形成し、ブラケットの基部の略中央部位から前方に突設した突出部をこの開口部内に導入するようにブラケットカバーをブラケットの基部表面に平行にスライドさせて着脱自在に装着したので、ブラケットカバーのブラケットの基部表面への着脱は、ブラケットカバーの開口部の開口幅を広げ、ブラケットの突出部をこの開口部内に導入させたり、開口部内から導出させたりしてブラケットの基部表面に対して平行にスライドさせることで行われるのであって、このブラケットカバーの開口部の開口幅を広げる方向は、ブラケットカバーをブラケットの基部表面にスライドさせる方向と略直交する方向、つまり壁面と平行な方向になっており、しかして、一旦ブラケットの基部表面に被着したブラケットカバーを取り外すときに、ブラケットカバーの開口部の開口幅を押し広げるように、ブラケットカバーの開口部の縁とブラケットとの間にドライバーなどの工具を差し入れた場合にも、力を入れる向きを壁面と平行な方向にすることができ、勢い余ってこの工具で壁面を引っ掻いて傷つけてしまう恐れを無くすることができるのである。
【００２０】
また、請求項３記載の発明にあっては、請求項１の効果に加えて、ブラケットの突出部の先端にリング部を形成し、このリング部に握り棒を挿通し、リング部の内周面と握り棒の外周面との間に木ネジなどの先端程尖るように形成された固定具を楔状に打入し、この固着具にてリング部の内周面に握り棒を圧接させて握り棒をブラケットに固定したので、一旦握り棒とブラケットとを固定させた後に握り棒とブラケットとの固定が緩んでしまった場合には、固定具をそのまま増し締めすればよく、容易に握り棒とブラケットとの再固定を行うことができるのである。
【図面の簡単な説明】
【図１】本発明の実施の形態の例を示す斜視図である。
【図２】同上の正面図である。
【図３】同上のブラケットとブラケットカバーとを示す分解斜視図である。
【図４】同上の握り棒とブラケットの固定及びブラケットと柱との固定を説明する側面断面図である。
【図５】同上のブラケットに中空壁用取付具をブラケットに挿通した状態を示す斜視図である。
【図６】同上のブラケットを中空壁用取付具を介して中空壁に固定した状態を説明する側面断面図である。
【図７】同上のブラケットカバーのブラケットからの取外しを説明するものであって、（ａ）は正面図であり、（ｂ）は斜視図である。
【図８】従来技術を示す斜視図である。
【符号の説明】
１　ブラケット
２　握り棒
３　ブラケットカバー
４　壁面
５　基部
６　突出部
７　取付孔
８　握り棒挿通孔
９　リング部
１０　固定具
１１　柱
１２　柱打入用取付具
１３　中空壁用取付具
１４　開口部
１５　係合凹所
１６　係合突起
１８　隙間
【図１】
2004003207.tif 000003
【図２】
2004003207.tif 000004
【図３】
2004003207.tif 000005
【図４】
2004003207.tif 000006
【図５】
2004003207.tif 000007
【図６】
2004003207.tif 000008
【図７】
2004003207.tif 000009
【図８】
2004003207.tif 000010